(57)【要約】  【課題】  デジタルビデオカメラ等の画像記録装置を用いて撮像して得られた原データを記録データとしてフラッシュメモリ等の記録媒体に記録する場合に、記録媒体が対応している転送速度に応じた最適な品質の記録データを生成し、記録することが可能なデータ記録用法及び記録装置を提供する。  【解決手段】  原データから所定の生成条件で生成した記録用データを一時的に記録する緩衝用記録部１３に記録している記録用データの量が所定量以上となった場合に（Ｓ３０２：ＹＥＳ）、原データから記録用データを生成する圧縮率、フレームレート等の生成条件を変更する（Ｓ３０３）。【選択図】      図４
2006033286.tif 000002
【特許請求の範囲】
【請求項１】
原データから所定の生成条件で記録用データを生成し、生成した記録用データを緩衝記録部に逐次書き込み、緩衝記録部に書き込まれている記録用データを読み出して逐次記録媒体に記録するデータ記録方法において、
前記緩衝記録部に書き込まれている記録用データの量を所定量と比較し、
該比較により、前記緩衝記録部に書き込まれている記録用データの量が、所定量以上であると判定した場合に、記録用データの生成条件を変更する
ことを特徴とするデータ記録方法。
【請求項２】
原データから生成した記録用データを書き込む緩衝記録部と、該緩衝記録部に書き込まれている記録用データを読み出して記録媒体に記録する補助記録部とを備える記録装置において、
原データから、所定の生成条件で記録用データを生成する生成手段と、
生成した記録用データを前記緩衝記録部に逐次書き込む手段と、
前記緩衝記録部に書き込まれている記録用データを逐次読み出して前記補助記録部へ転送する手段と、
前記補助記録部により、記録用データをファイルとして記録媒体に記録する処理を行う記録処理手段と、
前記緩衝記録部に書き込まれている記録用データの量を所定量と比較する手段と、
該比較により、前記緩衝記録部に書き込まれている記録用データの量が、所定量以上であると判定した場合に、前記生成手段による生成条件を変更する変更手段と
を備えることを特徴とする記録装置。
【請求項３】
前記生成手段は、原データを所定の圧縮率で圧縮して記録用データを生成するようにしてあり、
前記変更手段は、生成条件の変更として、圧縮率を高くするようにしてある
ことを特徴とする請求項２に記載の記録装置。
【請求項４】
前記原データは、動画像データであり、
前記生成手段は、動画像を形成するフレームを所定の頻度で更新する記録用データを、原データから生成するようにしてあり、
前記変更手段は、生成条件の変更として、更新する頻度を低くするようにしてある
ことを特徴とする請求項２又は請求項３に記載の記録装置。
【請求項５】
前記記録処理手段は、前記変更手段による変更前後の記録用データを、夫々異なる複数のファイルとして記録するようにしてあることを特徴とする請求項２乃至請求項４のいずれかに記載の記録装置。
【請求項６】
前記記録処理手段は、異なる複数のファイルとして記録媒体に記録される各記録用データの記録順序及び生成条件を示す記録条件情報を記録するようにしてあることを特徴とする請求項５に記載の記録装置。
【請求項７】
前記補助記録部により、記録条件情報に示された記録順序に従って、記録媒体に記録されている各記録用データを読み取る手段と、
読み取った記録用データを、記録条件情報に示された夫々の生成条件に応じて出力する手段と
を更に備えることを特徴とする請求項６に記載の記録装置。
【請求項８】
前記複数のファイルとして記録媒体に記録された複数の記録用データの夫々の生成条件に基づいて、複数の記録用データを一の編集データに纏める編集条件を決定する手段と、
前記補助記録部により、記録媒体に記録されている複数の記録用データを読み取る手段と、
読み取った各記録用データから前記編集条件に基づいて、一の編集データを生成する手段と、
前記補助記録部により、生成した編集データを、一のファイルとして記録媒体に記録する手段と
を更に備えることを特徴とする請求項６に記載の記録装置。
【発明の詳細な説明】
【技術分野】
【０００１】
本発明は、動画像データ等の原データから記録用データを生成し、生成した記録用データをバッファメモリに逐次書き込み、バッファメモリに書き込まれている記録用データを読み出してフラッシュメモリ等の記録媒体に記録するデータ記録方法、及び該データ記録方法を適用した記録装置に関し、特に撮影及び記録媒体への書き込みを並行して行い、様々な形式の記録媒体に対応することが可能なデジタルビデオカメラ等の撮影装置に適用されるデータ記録方法及び記録装置に関する。
【背景技術】
【０００２】
ＣＣＤ(Charge Coupled Device) 等の撮像素子を用いた撮影により動画像データを生成し、生成した動画像データから記録用データを生成し、生成した記録用データをフラッシュメモリ等の記録媒体に記録するデジタルビデオカメラ等の記録装置が普及している。動画像データに基づいて生成される記録用データは、記録装置を使用する使用者の要求及び記録媒体の記録容量に応じて圧縮率、フレームレート等の生成条件が自動的に又は使用者の操作により決定された形式で生成される。またフラッシュメモリは様々な規格が乱立しているが、最近では複数の規格のフラッシュメモリに対応した記録装置も市販されている。なお画像に関するデータを記録する処理に関しては、例えば特許文献１及び特許文献２に開示されている。
【特許文献１】特開２００３−５９１９６号公報
【特許文献２】特開２００２−３２８８８１号公報
【発明の開示】
【発明が解決しようとする課題】
【０００３】
しかしながら記録媒体に記録用データを記録する際の適正な転送速度は、記録媒体の規格、製造元、グレード等の種類毎に異なる場合があるため、記録媒体毎に、適正な転送速度で記録することが可能な圧縮率、更新頻度（フレームレート）等の生成条件を決定しなければならない。例えば圧縮率が低すぎる又は更新頻度が高すぎる場合、生成した記録用データのデータ量が大きくなり、記録媒体への記録用データの転送が間に合わず、生成した記録用データを一時的に記録する緩衝記録部（バッファメモリ）の記録容量を超えてしまうという問題が生じる。逆に圧縮率が高すぎる又は更新頻度が低すぎる場合、記録用データとして記録する動画像の品質を落とすことになる。ただし適正な転送速度で記録すべく生成条件を使用者に決定させることは使用者の負担増となるため、記録装置では記録用データの量が緩衝記録部の記録容量を超えることが無い様に動画像の品質を低めに設定し、また動画像の記録時間を制限する設定を行うことで様々な規格の記録媒体に対応させているが、その場合必ずしも適正な生成条件で記録用データを生成している訳ではない。
【０００４】
本発明は斯かる事情に鑑みてなされたものであり、緩衝用記録部に書き込まれている記録用データの量が所定量以上となった場合に、記録用データの圧縮率、更新頻度等の生成条件を変更することにより、記録媒体毎に適した生成条件を自動的に決定することが可能なデータ記録方法及び記録装置の提供を目的とする。
【課題を解決するための手段】
【０００５】
本発明に係るデータ記録方法は、原データから所定の生成条件で記録用データを生成し、生成した記録用データを緩衝記録部に逐次書き込み、緩衝記録部に書き込まれている記録用データを読み出して逐次記録媒体に記録するデータ記録方法において、前記緩衝記録部に書き込まれている記録用データの量を所定量と比較し、該比較により、前記緩衝記録部に書き込まれている記録用データの量が、所定量以上であると判定した場合に、記録用データの生成条件を変更することを特徴とする。
【０００６】
本発明では、ＣＣＤ等の撮像素子を用いた撮影により得られた動画像データ等の原データから記録用データを生成して緩衝記録部に書き込んでいく速度が、記録用データを緩衝記録部から読み出し記録媒体へ転送して緩衝記録部から消去する速度を上回ることで、緩衝記録部に書き込まれている記録用データのデータ量が所定量以上となった場合に、記録用データの圧縮率、フレームを更新する頻度等の生成条件を変更することにより、記録用データのデータ量が緩衝記録部の記録容量を超えることを防止することが可能である。しかも段階的に生成条件を変更することが可能となるので、記録用データの画質を必要以上に下げる必要が無く、また生成条件の変更は自動的に行われるので、使用者の操作負担を増加させること無く緩衝記録部の記録容量及び質を加味した最適な生成条件を決定することが可能である。
【０００７】
本発明に係る記録装置は、原データから生成した記録用データを書き込む緩衝記録部と、該緩衝記録部に書き込まれている記録用データを読み出して記録媒体に記録する補助記録部とを備える記録装置において、原データから、所定の生成条件で記録用データを生成する生成手段と、生成した記録用データを前記緩衝記録部に逐次書き込む手段と、前記緩衝記録部に書き込まれている記録用データを逐次読み出して前記補助記録部へ転送する手段と、前記補助記録部により、記録用データをファイルとして記録媒体に記録する処理を行う記録処理手段と、前記緩衝記録部に書き込まれている記録用データの量を所定量と比較する手段と、該比較により、前記緩衝記録部に書き込まれている記録用データの量が、所定量以上であると判定した場合に、前記生成手段による生成条件を変更する変更手段とを備えることを特徴とする。
【０００８】
本発明では、記録用データを生成して緩衝記録部に書き込む速度が、記録用データを緩衝記録部から読み出し記録媒体へ転送して緩衝記録部から消去する速度を上回ることで、緩衝記録部に書き込まれている記録用データのデータ量が所定量以上となった場合に、記録用データの生成条件を変更することにより、緩衝記録部に書き込まれる記録用データのデータ量が緩衝記録部の記録容量を超えることを防止することが可能である。しかも段階的に生成条件を変更することが可能となるので、記録用データの質を必要以上に下げる必要が無く、また生成条件の変更は自動的に行われるので、使用者の操作負担を増加させること無く緩衝記録部の記録容量及び質を加味した最適な記録方法を決定することが可能である。
【０００９】
本発明に係る記録装置は、前記生成手段は、原データを所定の圧縮率で圧縮して記録用データを生成するようにしてあり、前記変更手段は、生成条件の変更として、圧縮率を高くするようにしてあることを特徴とする。
【００１０】
本発明では、圧縮率を高くすることにより、所定時間の間に緩衝記録部に書き込まれる記録用データのデータ量が小さくなるので、生成した記録用データを緩衝記録部に書き込んでいく速度を低下させることとなり、緩衝記録部に書き込まれる記録用データのデータ量が緩衝記録部の記録容量を超えることを防止することが可能である。
【００１１】
本発明に係る記録装置は、前記原データは、動画像データであり、前記生成手段は、動画像を形成するフレームを所定の頻度で更新する記録用データを、原データから生成するようにしてあり、前記変更手段は、生成条件の変更として、更新する頻度を低くするようにしてあることを特徴とする。
【００１２】
本発明では、フレームを更新する頻度を低くすることにより、所定時間の間に緩衝記録部に書き込まれる記録用データのデータ量が小さくなるので、生成した記録用データを緩衝記録部に書き込んでいく速度を低下させることとなり、緩衝記録部に書き込まれる記録用データのデータ量が緩衝記録部の記録容量を超えることを防止することが可能である。
【００１３】
本発明に係る記録装置は、前記記録処理手段は、前記変更手段による変更前後の記録用データを、夫々異なる複数のファイルとして記録するようにしてあることを特徴とする。
【００１４】
本発明では、記録用データの生成条件を変更した場合に、変更前後の記録用データを夫々異なるファイルとして記録媒体に記録することにより、生成条件が異なる記録用データを異なるファイルとして取り扱うことができるので、記録媒体に記録後のファイルの管理が容易になる。
【００１５】
本発明に係る記録装置は、前記記録処理手段は、異なる複数のファイルとして記録媒体に記録される各記録用データの記録順序及び生成条件を示す記録条件情報を記録するようにしてあることを特徴とする。
【００１６】
本発明では、記録条件情報を記録しておくことにより、異なる複数のファイルとして記録媒体に記録される記録用データの記録順序及び生成条件を示す記録条件情報を記録することにより、記録用データの記録時の履歴を把握することが可能となるので、記録媒体に記録後のファイルの整理が容易になる。
【００１７】
本発明に係る記録装置は、前記補助記録部により、記録条件情報に示された記録順序に従って、記録媒体に記録されている各記録用データを読み取る手段と、読み取った記録用データを、記録条件情報に示された夫々の生成条件に応じて出力する手段とを更に備えることを特徴とする。
【００１８】
本発明では、例えば原データが動画像データの場合には、再生すべき動画像の順序及び再生時の条件を容易に判別することができるので、判別した条件に基づいて、記録用データの生成条件に則した撮像時の動画像を正確に再生することが可能である。
【００１９】
本発明に係る記録装置は、前記複数のファイルとして記録媒体に記録された複数の記録用データの夫々の生成条件に基づいて、複数の記録用データを一の編集データに纏める編集条件を決定する手段と、前記補助記録部により、記録媒体に記録されている複数の記録用データを読み取る手段と、読み取った各記録用データから前記編集条件に基づいて、一の編集データを生成する手段と、前記補助記録部により、生成した編集データを、一のファイルとして記録媒体に記録する手段とを更に備えることを特徴とする。
【００２０】
本発明では、複数のファイルとして夫々記録された複数の記録用データを一のファイルに纏めることにより、例えば原データが動画像データの場合には、一のファイルとして記録されている記録用データを再生させる操作を行うだけで、記録時には、複数のファイルに分割されていた記録用データを一度の操作で連続して再生させることが可能となり、しかも複数のファイルを取り扱う必要がないので、ファイルの管理が容易になる。
【発明の効果】
【００２１】
本発明のデータ記録方法及び記録装置は、例えばＣＣＤ等の撮像素子を用いた撮影により得られた動画像データ等の原データから記録用データを生成し、生成した記録用データを緩衝記録部に逐次書き込み、緩衝記録部に書き込まれている記録用データを読み出して、補助記録部によりフラッシュメモリ等の記録媒体に記録するデジタルビデオカメラ等の記録装置において、緩衝記録部に書き込まれているデータの量が、所定量以上となった場合に、記録用データを生成する圧縮率、フレームレート等の生成条件を変更する。
【００２２】
この構成により、原データから記録用データを生成して緩衝記録部に書き込んでいく速度が、記録用データを緩衝記録部から読み出して記録媒体へ転送することにより緩衝記録部から消去する速度を上回ることで、緩衝記録部に書き込まれている記録用データのデータ量が所定量以上となった場合に、生成条件が変更されるので、記録用データのデータ量が緩衝記録部の記録容量を超えることを防止することが可能である。しかも段階的に生成条件を変更することが可能となるので、記録用データに基づく動画像の画質を必要以上に下げる必要が無く、また生成条件の変更は自動的に行われるので、使用者の操作負担を増加させることがない。従って緩衝記録部から補助記録部へ所定時間の間に転送する記録用データのデータ量、即ち記録用データの転送速度を適正な値とし、また高画質な動画像を再現する記録用データとして記録媒体に記録することが可能である等、優れた効果を奏する。そして撮影毎に生成条件を決定することも可能となるので、様々な規格の記録媒体に記録用データを記録することが可能な記録装置に適用した場合でも、記録媒体に適した生成条件を容易に決定することが可能である等、優れた効果を奏する。
【発明を実施するための最良の形態】
【００２３】
以下、本発明をその実施の形態を示す図面に基づいて詳述する。
【００２４】
図１は本発明の記録装置の構成を示すブロック図である。図１中１は、デジタルビデオカメラ等の本発明の記録装置であり、記録装置１は、装置全体を制御する演算処理部１０を備え、演算処理部１０は、後述する様々な処理を実現するためのコンピュータプログラム及びデータを記録するＲＯＭ１０ａと、ＲＯＭ１０ａに記録されたコンピュータプログラムの実行時に一時的に発生するデータを記録するＲＡＭ１０ｂとに接続している。
【００２５】
さらに記録装置１は、外部から入射される光を捉える一又は複数のレンズを用いた対物レンズ１１と、対物レンズ１１が捉えた光を光電変換により変換した電荷に基づきアナログ画像データを生成するＣＣＤ(Charge Coupled Device) 等の撮像素子１２とを備えている。撮像素子１１にて生成されたアナログ画像データは、所定の周期で演算処理部１０へ送られ、演算処理部１０では、受け付けたアナログ画像データをデジタル画像データに変換するＡ／Ｄ変換処理を行い、変換により得られたデジタル画像データを１フレーム分のビットマップ形式の画像データに変換し、更に複数フレーム分の画像データから所定の生成条件で記録用データを生成する。このように演算処理部１０では、所定の周期で得られた複数フレーム分の画像データに基づく動画像データを原データとして記録用データを生成する。
【００２６】
さらに記録装置１は、演算処理部１０にて生成された記録用データを一時的に記録する緩衝記録部（バッファメモリ）１３と、フラッシュメモリ等の記録媒体２にアクセスして緩衝記録部１３から転送される記録用データを記録する補助記録部１４と、液晶モニタ等の表示部１５と、各種押釦等の操作部１６とを備えている。補助記録部１４は、ＳＤメモリカード（登録商標）、コンパクトフラッシュ（登録商標）、スマートメディア（登録商標）、メモリースティック（登録商標）等の様々な規格の記録媒体２にアクセスすることが可能なマルチメディアドライブである。なお同じ規格の記録媒体２であっても製造元、グレード等の違いにより様々な種類が存在する。表示部１５は、例えばビットマップ形式の画像データから演算処理部１０の処理により変換されたビデオ信号を所定の周期で受け付け、受け付けたビデオ信号を所定の周期で更新される画像として表示する。操作部１６は、記録装置１を使用する使用者の操作を受け付け、受け付けた操作は、操作信号として演算処理部１０へ送られ、演算処理部１０では、操作信号に基づき各種処理を行う。
【００２７】
次に本発明の記録装置１の各種処理をフローチャートを用いて説明する。
【００２８】
図２は本発明の記録装置１の記録用データ生成記録処理を示すフローチャートである。記録装置１は、演算処理部１０の制御により、動画像データである原データから、所定の生成条件として予め設定されている所定の圧縮率及び所定のフレームレートで記録用データを生成し（Ｓ１０１）、生成した記録用データを緩衝記録部１３に逐次書き込む（Ｓ１０２）。圧縮率とは、原データを不可逆圧縮して記録用データを生成する場合における記録用データのデータ量と原データのデータ量との比の値を示し、圧縮率が低い程、記録用データに基づき再生される動画像の画質は向上するが、記録用データのデータ量が大きくなる。フレームレートとは、ｆｐｓ(frame per second)等の単位で示される様に、動画像を形成するフレームを更新する頻度であり、フレームレートが高い程、記録用データに基づき再生される動画像は滑らかに動く様になるが、記録用データのデータ量が大きくなる。
【００２９】
図３は本発明の記録装置１の記録用データ転送記録処理を示すフローチャートである。記録装置１は、演算処理部１０の制御により、緩衝記録部１３に書き込まれている記録用データを記録時期が古いものから順に逐次読み出し（Ｓ２０１）、読み出した記録用データを補助記録部１４へ逐次転送し（Ｓ２０２）、補助記録部１４にて受け付けた記録用データをファイルとして記録媒体２に記録する（Ｓ２０３）。なお緩衝記録部１３から読み出されて補助記録部１４へ転送された記録用データは、緩衝記録部１３から消去される。また緩衝記録部１３から補助記録部１４へ逐次転送される記録用データは、同様の生成条件で生成されている場合、一のファイルとして記録される。
【００３０】
図４は本発明の記録装置１の生成条件変更処理を示すフローチャートである。記録装置１は、演算処理部１０の制御により、緩衝記録部１３に書き込まれている記録用データのデータ量と、記録容量の８０％以上等の所定量とを比較する（Ｓ３０１）。記録装置１は、ステップＳ３０１の比較を行った結果、緩衝記録部１３に書き込まれている記録用データのデータ量が、所定量以上であると判定した場合（Ｓ３０２：ＹＥＳ）、原データから記録用データを生成する生成条件を変更し（Ｓ３０３）、所定時間待機後、ステップＳ３０１へ戻り、以降の処理を繰り返す。ステップＳ３０１の比較を行った結果、緩衝記録部１３に書き込まれている記録用データのデータ量が、所定量未満であると判定した場合（Ｓ３０２：ＮＯ）、ステップ３０１に戻り、同様の処理を繰り返す。ステップＳ３０２において、データ量が所定量を超える状況とは、原データから記録用データを生成して緩衝記録部１３に書き込む記録用データ生成記録処理の速度が、記録用データを緩衝記録部１３から読み出して補助記録部１４へ転送し緩衝記録部１３から消去する記録用データ転送記録処理の速度を上回る場合に発生する状況であり、所定時間の間に生成される記録用データのデータ量を小さくすべく生成条件を変更する必要がある。ステップＳ３０３における生成条件の変更とは、圧縮率を高くする変更及び／又はフレームレートを低くする変更である。例えば圧縮率は複数段階の階級を設定しておき、一度の生成条件の変更で、一段階圧縮率を上げるという形態がある。また生成条件を変更する都度、予め設定されている割合で圧縮率を上げる様にしても良い。同様にフレームレートについても複数段階の階級を設定しておき、一度の生成条件の変更で、一段階フレームレートを低くするという形態がある。また圧縮率の変更とフレームレートの変更との優先順位については適宜設定することが可能である。なおステップＳ３０２にて生成条件を変更した後の待機時間は、生成条件を変更した効果を検出することができる程度の時間を確保する必要がある。
【００３１】
上述した生成条件変更処理におけるステップＳ３０１〜Ｓ３０３の処理を繰り返すことにより、生成条件が段階的に変更され、最終的に記録用データ生成記録処理の速度と、記録用データ転送記録処理の速度とが釣り合う生成条件により記録用データの生成が行われる様になる。この条件が当該記録媒体２に対して最適な生成条件であり、記録用データ転送記録処理が完了した後、最適な生成条件を、記録媒体２の種別を示す情報に対応付けて記録しておくことにより、今後同様の記録媒体２を用いる場合、記録している生成条件から始めることで、安定した生成条件で記録用データを生成することが可能となる。
【００３２】
図２を用いて説明した記録用データ生成記録処理、図３を用いて説明した記録用データ転送記録処理及び図４を用いて説明した生成条件変更処理は、夫々並行して実行されるが、互いに密接に関係している。例えば生成条件変更処理により、記録用データの生成記録処理における生成条件が変更される。また生成条件が変更された場合、変更前後の記録用データは、夫々異なる複数のファイルとして記録媒体２に記録され、またファイルと共に記録用データの記録順序及び生成条件を示す記録条件情報が生成され、記録媒体２に記録される。そして生成条件が変更されて記録用データに基づくファイルの数が増える都度、記録媒体２に記録された記録条件情報は更新される。
【００３３】
図５は本発明の記録装置１の動画再生処理を示すフローチャートである。動画再生処理とは、記録装置１を操作する使用者が記録媒体２に複数のファイルとして記録されている複数の記録用データに基づく動画の再生を所望し、所定の操作を行った場合に行われる処理である。記録装置１は、演算処理部１０の制御により、記録媒体２に記録されている記録条件情報に示された記録順序及び生成条件を読み取り（Ｓ４０１）、読み取った記録順序に従って記録媒体２にファイルとして記録されている各記録用データを読み取り（Ｓ４０２）、読み取った記録用データを、記録条件情報に示されている夫々の生成条件に応じて出力する（Ｓ４０３）。ステップＳ４０３の出力とは、例えば記録用データに基づきビデオ信号を生成し、生成したビデオ信号に基づく動画を表示部１５に表示することを示す。
【００３４】
図６は本発明の記録装置１の編集処理を示すフローチャートである。編集処理とは、使用者が記録媒体２に複数のファイルとして記録されている複数の記録用データを一の記録データに編集することを所望し、所定の操作を行った場合に行われる処理である。記録装置１は、演算処理部１０の制御により、複数のファイルとして記録媒体２に記録された複数の記録用データの記録順序及び生成条件を示す記録条件情報を記録媒体２から読み取り（Ｓ５０１）、記録条件情報に示されている夫々の記録用データの夫々の生成条件に基づいて、複数の記録用データを一の編集データに纏める編集条件を決定する（Ｓ５０２）。例えば複数の記録用データの圧縮率が異なる場合、圧縮率が最も高い記録用データの圧縮率に編集条件が決定され、また複数の記録用データのフレームレートが異なる場合、フレームレートが最も低い記録用データのフレームレートに編集条件が決定される。
【００３５】
さらに記録装置１は、演算処理部１０の制御により、記録媒体２から複数の記録用データを読み取り（Ｓ５０３）、読み取った記録用データから、決定した編集条件及び記録条件情報に示されている記録順序に基づいて、一の編集データを生成し（Ｓ５０４）、補助記録部１４により、生成した編集データをファイルとして記録媒体２に記録する（Ｓ５０５）。このようにして生成し記録された編集データは、記録装置１において、編集条件に応じて出力される。即ち編集データに基づきビデオ信号が生成され、生成されたビデオ信号に基づく動画が表示部１５に表示される。なお記録媒体２からファイルを読み取ることが可能な他の装置にて動画再生処理を行う様にしても良い。
【００３６】
前記実施の形態では、動画像データを原データとする形態を示したが、本発明はこれに限らず、音声データ等の様々なデータを原データとする形態に適用することが可能である。
【００３７】
また前記実施の形態では、緩衝記録部と補助記録部とが同一の装置に内蔵されている形態を示したが、本発明はこれに限らず、例えばパーソナルコンピュータに緩衝記録部を備えさせ、パーソナルコンピュータに接続されるＤＶＤレコーダ、ハードディスクレコーダ等の周辺機器に補助記録部を備えさせ、パーソナルコンピュータにて生成される記録データを、周辺機器に挿入された記録媒体に記録させる形態等、様々な形態に適用することが可能である。
【図面の簡単な説明】
【００３８】
【図１】本発明の記録装置の構成を示すブロック図である。
【図２】本発明の記録装置の記録用データ生成記録処理を示すフローチャートである。
【図３】本発明の記録装置の記録用データ転送記録処理を示すフローチャートである。
【図４】本発明の記録装置の生成条件変更処理を示すフローチャートである。
【図５】本発明の記録装置の動画再生処理を示すフローチャートである。
【図６】本発明の記録装置の編集処理を示すフローチャートである。
【符号の説明】
【００３９】
１  記録装置
１０  演算処理部
１０ａ  ＲＯＭ
１０ｂ  ＲＡＭ
１１  対物レンズ
１２  撮像素子
１３  緩衝記録部
１４  補助記録部
１５  表示部
１６  操作部
２  記録媒体
【図１】
2006033286.tif 000003
【図２】
2006033286.tif 000004
【図３】
2006033286.tif 000005
【図４】
2006033286.tif 000006
【図５】
2006033286.tif 000007
【図６】
2006033286.tif 000008